(57)【要約】【課題】操作スイッチ配線器具への供給電力の低下を外部から確認でき、操作スイッチの操作による負荷のオン・オフ制御が動作しない場合に、その原因を容易に判別できる負荷制御システム用の操作スイッチ配線器具を提供する。【解決手段】操作スイッチ配線器具１は、照明器具などの負荷への電源供給をオン・オフするためのリレーを制御する制御親機１０１、制御子器１０２、１０２と２線式の伝送線Ｌｓを介して接続されている。また、操作スイッチ配線器具１は、操作スイッチ２１に割り当てられたアドレスを視覚的に表示する液晶表示部４８と、操作スイッチ２１の押操作に応じて伝送線Ｌｓに返信信号Ｓ２を出力する制御部４１と、信号線Ｌｓに入力される伝送信号Ｓ１を全波整流して内部電源を生成する電源部４３とを備える。制御部４１は、伝送信号Ｓ１の電圧値が所定の値よりも低くなると、液晶表示部４８に動作「Ｅ１」と表示させる。【選択図】図１
2011010037.tif 000002
【特許請求の範囲】
【請求項１】
個別のアドレスが割り当てられた操作スイッチのオン・オフを監視する操作スイッチ配線器具と、個別のアドレスが割り当てられたリレーの開閉を制御するリモコン配線器具とを信号線に接続し、前記操作スイッチ配線器具が、前記操作スイッチの操作に応じた操作情報とアドレス情報とを含む伝送信号を信号線に出力し、前記操作スイッチのアドレスと対応付けられたアドレスのリレーを前記リモコン配線器具が開閉する遠隔監視制御システムに用いられる操作スイッチ配線器具であって、
前記操作スイッチ配線器具は、前記操作スイッチの操作に応じて前記伝送信号を前記信号線に出力する制御部と、前記伝送線を介して入力される前記伝送信号を整流して動作電源を生成する電源部と、前記伝送信号の電圧値が所定の値よりも小さくなった電圧低下状態を検知する電源検出部と、前記電源検出部が前記電圧低下状態を検知したことを表示する表示部とを備えることを特徴とする操作スイッチ配線器具。
【請求項２】
前記制御部が前記信号線に伝送信号を出力できない出力不良状態を検知する返信信号検出部を備え、
前記表示部は、前記返信信号検出部が出力不良状態を検知したことを表示することを特徴とする操作スイッチ配線器具。
【発明の詳細な説明】
【技術分野】
【０００１】
本発明は、照明器具などの負荷の監視及び制御を行う負荷制御システムに用いられる負荷制御用の操作スイッチ配線器具に関するものである。
【背景技術】
【０００２】
従来から、照明器具などの負荷への電源供給をオン・オフするリレーを有する制御親機および複数台の制御子器と、各制御端末（制御親機及び制御子器）のリレーをオン・オフ操作するための操作スイッチとが２線式の伝送線を介して接続された負荷制御システムが提供されている（例えば、特許文献１を参照）。
【０００３】
この種の負荷制御システムにおいては、例えば特許文献１に記載されているように、制御親機は所定のフォーマットに設定された双極性（±２４Ｖ）のパルス信号からなる伝送信号を、時分割多重方式で伝送線に出力している。各制御子器及び操作スイッチ配線器具は、設定されたアドレスに一致した伝送信号が入力されると、伝送信号から制御情報を取り込み、リレーの開閉や負荷のオン・オフ状態の表示などを行う。また、制御親機は制御情報を有しないダミーの伝送信号を所定の間隔で伝送線に出力している。
【０００４】
ここで、使用者によって操作スイッチが操作されると、操作スイッチは伝送信号に同期した割込信号を出力する。制御親機は割込信号を受信すると、全ての操作スイッチ配線器具に対して伝送信号を用いて問い合わせを行うことで、割込信号を発した操作スイッチから操作対象のアドレスと操作内容を取得し、操作対象のアドレスに対応するリレーを制御親機が保持していればリレーの開閉を行う。また、操作対象のアドレスに対応するリレーが制御親機に存在しなければ、制御親機が伝送線に伝送信号を送信し、操作対象のアドレスに対応するリレーを有する制御子器が伝送信号を受信することでリレーの開閉を行う。このようにして、操作スイッチを操作することで、操作スイッチに対応するリレーの開閉を行い、負荷への電源供給がオン・オフ制御される。なお、操作スイッチは制御親機が送信する伝送信号を全波整流して、操作スイッチの動作電源としている。
【先行技術文献】
【特許文献】
【０００５】
【特許文献１】特開２００７−１２４１５９号公報
【発明の概要】
【発明が解決しようとする課題】
【０００６】
ところで、負荷制御システムの規模が大きくなると、１台の制御親機に接続される制御子器及び操作スイッチ配線器具の数が増え、伝送信号から電源を得て動作する端末器の数が増加するため、伝送信号の電圧が低下する。また、操作スイッチ配線器具はその利便性から操作対象の負荷の近くに設置され、制御親機までの距離が長くなる場合があり、制御親機が出力する伝送信号は伝送線の抵抗により電圧の低下が生じる。
【０００７】
ここで、操作スイッチ配線器具は、所定の電圧が得られない場合には操作スイッチを操作してもリレーの開閉が正しく動作しない場合がある。このため、わずかな電圧の変動によって動作したり動作しなかったりすると、動作しない場合の原因を特定することが難しくなる。また、上述のような操作スイッチ配線器具においては、信号線に印加されている伝送信号の電圧が低い状態であっても、その状態を表示する表示手段が設けられておらず、操作スイッチを操作しても負荷のオン・オフ制御がされなかった場合に、その原因を特定することは難しかった。
【０００８】
本発明は、上記事由に鑑みて為されたものであり、その目的とするところは、操作スイッチへの供給電力の低下を外部から確認でき、操作スイッチの操作による負荷のオン・オフ制御が動作しない原因を容易に判別できる負荷制御システム用の操作スイッチ配線器具を提供することにある。
【課題を解決するための手段】
【０００９】
上記目的を達成するために、請求項１の発明では、個別のアドレスが割り当てられた操作スイッチのオン・オフを監視する操作スイッチ配線器具と、個別のアドレスが割り当てられたリレーの開閉を制御するリモコン配線器具とを信号線に接続し、前記操作スイッチ配線器具が、前記操作スイッチの操作に応じた操作情報とアドレス情報とを含む伝送信号を信号線に出力し、前記操作スイッチのアドレスと対応付けられたアドレスのリレーを前記リモコン配線器具が開閉する遠隔監視制御システムに用いられる操作スイッチ配線器具であって、前記操作スイッチ配線器具は、前記操作スイッチの操作に応じて前記伝送信号を前記信号線に出力する制御部と、前記伝送線を介して入力される前記伝送信号を整流して動作電源を生成する電源部と、前記伝送信号の電圧値が所定の値よりも小さくなった電圧低下状態を検知する電源検出部と、前記電源検出部が前記電圧低下状態を検知したことを表示する表示部とを備えることを特徴とする。
【００１０】
請求項２の発明では、請求項１記載の発明において、前記制御部が前記信号線に伝送信号を出力できない出力不良状態を検知する返信信号検出部を備え、前記表示部は、前記返信信号検出部が出力不良状態を検知したことを表示することを特徴とする。
【発明の効果】
【００１１】
請求項１の発明によれば、制御部が信号電圧の低下を検知して、表示部にエラー表示を行うので、操作スイッチを押下しても動作しないような動作不良の状態の場合に、その原因を容易に認識することができる。
【００１２】
請求項２の発明によれば、請求項１の発明の効果に加え、制御部は通信部に異常が発生したことを検知して表示部にエラー表示を行わせるので、外部から動作不良の原因を容易に認識することができる。
【図面の簡単な説明】
【００１３】
【図１】本発明の実施の形態にかかる操作スイッチ配線器具の要部を示す正面図であり、（ａ）はアドレス設定モードでの表示状態、（ｂ）（ｃ）は動作不良時における表示状態を示している。
【図２】同操作スイッチ配線器具を用いた負荷制御システムを示す概略ブロック図である。
【図３】同操作スイッチ配線器具を示す分解斜視図である。
【図４】同操作スイッチ配線器具の制御回路を示す概略ブロック図である。
【発明を実施するための形態】
【００１４】
以下に本発明に係る操作スイッチ配線器具の実施形態を図１〜図４に基づいて説明する。なお、以下の説明においては、図１（ａ）の上下左右を操作スイッチ配線器具１の上下左右とし、図１（ａ）の正面を前面として説明を行う。
【００１５】
操作スイッチ配線器具１は、図２に示すように、照明器具などの負荷への電源供給をオン・オフするためのリレーを制御する制御親機１０１、制御子器１０２、１０２と２線式の伝送線Ｌｓを介して接続されている。
【００１６】
制御親機１０１はリレーを８回路分、制御子器１０２はリレーを４回路分づつ備えており、個々のリレーにはそれぞれ個別のアドレスが設定されている。また、各リレーには、照明器具などの負荷が接続されており（図示せず）、制御親機１０１及び制御子器１０２がリレーを開閉制御することで、接続された負荷への電源供給をオン・オフすることができる。
【００１７】
操作スイッチ配線器具１は、図３に示すように、合成樹脂成形品からなり前面が開口した略箱状のボディ１１と、合成樹脂成形品からなりボディ１１の前面の開口を被うようにして取着され、ボディ１１とともに器体１０を構成するカバー１２と、合成樹脂成形品からなりカバー１２の前面に取着される操作ハンドル３０と、器体１０の内部に収納されるプリント配線板２０とを備えている。この器体１０は、ＪＩＳで規格化された大角形連用配線器具用の取付枠（ＪＩＳ  Ｃ  ８３７５）に３個まで取着可能な単位寸法の埋込型配線器具を、短幅方向に３個並べた寸法（３個モジュール寸法）と略同じ寸法に形成されており、前面を露出させた状態で施工面に埋込配設される。
【００１８】
ボディ１１は、長手方向に沿う両側壁の前縁からは各一対の組立舌片１１ａが前方に向かって突設されている。一方、カバー１２は後面が開口した縦長の略箱状であって、長手方向に沿う両側壁には一対の組立突起１２ａが上下に離間して突設されており、この組立突起１２ａを組立舌片１１ａに設けた係止孔１１ｂに係合させることで、ボディ１１とカバー１２とが結合されている。
【００１９】
カバー１２の上下両側壁の前縁からは取付片１３、１３が上下両側に向かってそれぞれ延出しており、各取付片１３には施工面に埋設された埋込ボックス（図示せず）にねじ止めするためのボックスねじを挿通する長孔１３ａと、壁材などに器体１０を直付けするための取付ねじを挿通するねじ挿通孔１３ｂと、操作ハンドル３０を露出させる窓孔が前面に開口する化粧プレート（図示せず）を取着するためのねじ孔１３ｃとが少なくとも設けてある。
【００２０】
プリント配線板２０は、その表面にタクトスイッチからなる４個の操作スイッチ２１と、タクトスイッチからなるモード設定スイッチ２２と、左右方向に２桁に集積された７セグメントＬＣＤが上下方向に４個並べられた液晶パネル２３と、発光ダイオード２４とを含み、図４の回路ブロック図に示す回路を形成する回路部品が実装されている。各４個の操作スイッチ２１および発光ダイオード２４は、それぞれ上下方向に並べてプリント配線板２０の左右両側部に列設されており、各操作スイッチ２１はプリント配線板２０の右側部に配列されるとともに、各発光ダイオード２４はプリント配線板２０の左側部において対応する操作スイッチ２１と略同じ高さ位置に配置されている。また、モード設定スイッチ２２はプリント配線板２０の上下方向の中央よりも下側において、操作スイッチ２１よりもやや右寄りの位置に配置されている。なお、ボディ１１の背面には信号線Ｌｓを接続するためのねじ端子１１ｃが設けられ、ねじ端子１１ｃを介してプリント配線板２０と信号線Ｌｓとが電気的に接続されるようになっている。
【００２１】
カバー１２の前面には、上述の４個の操作スイッチ２１及びモード設定スイッチ２２とそれぞれ対応する部位に、各操作スイッチ２１の操作子に被せた押釦２１ａを前後方向において移動自在に挿通させる挿通孔１４と、モード設定スイッチ２２の操作子に被せた押釦２２ａを前後方向において移動自在に挿通させる挿通孔１５とが貫設されている。またカバー１２の前面には、液晶パネル２３の上下方向に並ぶ４個の７セグメント表示位置に対応する部位に窓孔１６が貫設され、発光ダイオード２４にそれぞれ対向する部位に、発光ダイオード２４がそれぞれ備える直方体状のレンズ体を挿通させる挿通孔１７が貫設されている。
【００２２】
操作ハンドル３０は、上下方向に略４等分した大きさに形成され、上下方向に４個並べられた扉部３１と、扉部３１を回動自在に保持し、カバー１２の前面に取着される軸部３２と、少なくともカバー１２の挿通孔１７と対向する部位が透光性を有する表示窓３３とを備える。また、操作ハンドル３０には、各扉部３１の前面を覆うようにして透明なネームカバー３４が取着され、ネームカバー３４と扉部３１との間にネームカード３５が保持されている。
【００２３】
扉部３１の後面には、挿通孔１４と対向する位置に押突起（図示せず）が突設されており、扉部３１の右側を押操作することで、扉部３１が軸部３２を支点に回動し、押突起が押釦２１ａを押動させ、操作スイッチ２１がオン状態になる。その後、扉部３１を押圧する力を無くすと、操作スイッチ２１の押釦２１ａなどの反力を受けて扉部３１が復帰位置に戻り、操作スイッチ２１がオフになる。このようにして、扉部３１を押操作することで、操作スイッチ２１を操作することができる。
【００２４】
また、扉部３１の右側後部には、カバー１２の前面に設けられた係合孔１８と係合することで、扉部３１の前面側への回動量を規制する係止突起３１ａが設けられている。係止突起３１ａは、使用者が扉部３１を前面側に回動させるように、所定の力を加えることで係合孔１８との係合が解除されるようになっている。これにより、モード設定スイッチ２２が前面に露出するとともに、窓孔１６を通じて液晶パネル２３の表示を確認できるようになる。
【００２５】
次に、プリント配線板２０に形成された回路について図４を用いて説明する。プリント配線板２０には、マイクロコンピュータよりなる制御部４１と、４個の操作スイッチ２１及びモード設定スイッチ２２からなる操作入力部４２と、伝送線Ｌｓを介して入力される伝送信号Ｓ１を全波整流することで内部電源を生成する電源部４３と、電源部４３からの内部電源の電圧値を検知する電源検出部４４と、伝送線Ｌｓを介して伝送信号Ｓ１を受信する信号受信部４５と、伝送線Ｌｓを介して返信信号Ｓ２を出力する信号返信部４６と、返信信号Ｓ２の出力状態を検知する返信信号検出部４７と、液晶パネル２３からなる液晶表示部４８と、発光ダイオード２４からなるＬＥＤ表示部４９と、フラッシュメモリなどのメモリからなる記憶部５０とを主要な構成として備える。
【００２６】
制御部４１は、その動作モードとして操作モードと、アドレス設定モードとを有し、モード設定スイッチ２２の押操作に応じて、操作入力部４２から操作信号が入力される毎に、操作モードとアドレス設定モードとが順に切替えられる。
【００２７】
アドレス設定モードに切り替えられると、記憶部５０に記憶された各操作スイッチ２１に対応するアドレスが、各操作スイッチ２１と等しい位置に設けられた窓孔１６を通じて確認できるように液晶表示部４８に表示される（図１（ａ）を参照）。なお、初期状態では、各操作スイッチ２１にはアドレスが割り当てられておらず、液晶表示部４８には例えば横棒などが表示される。ここで、各操作スイッチ２１を押操作すると、対応するアドレスの値が１づつ加算され、液晶表示部４８の表示が更新される。その後、モード設定スイッチ２２を押操作することで、動作モードが操作モードに移行するとともに、液晶表示部４８の表示内容はクリアされ、アドレスの設定が記憶部５０に記憶される。
【００２８】
次に、操作モードにおいては、制御親機１０１から常時入力される伝送信号Ｓ１を信号受信部４５が受信している。制御部４１は、信号受信部４５が受信した伝送信号Ｓ１に含まれるアドレスが、記憶部５０に記憶された各操作スイッチ２１に割り当てたアドレスと一致すれば、伝送信号Ｓ１に含まれる負荷の情報に基づいて、ＬＥＤ表示部４９の表示を変更する。具体的には、アドレスに対応する負荷がオン状態である旨を示す情報を含んでいれば、ＬＥＤ表示部４９を赤色に発光させ、また、負荷がオフ状態である旨を示す情報を含んでいれば、ＬＥＤ表示部４９を緑色に発光させる。これにより、操作スイッチ配線器具１の遠隔に設置された負荷の状態を確認することができる。
【００２９】
また、操作モードにおいて操作スイッチ２１を押操作すると、操作対象の操作スイッチ２１に割り当てられ記憶部５０が記憶しているアドレス値を制御部４１が取り出す。その後、伝送線Ｌｓを介してダミーの制御信号を含む伝送信号Ｓ１を信号受信部４５が受信すると、制御部４１が伝送信号Ｓ１の信号返送期間に割込信号を出力し、信号返信部４６から伝送線Ｌｓに出力させる。その後、信号受信部４５が制御情報を含む伝送信号Ｓ１を受信すると、制御部４１が対象のアドレスと操作内容を示す情報を重畳して返信信号Ｓ２を生成し、信号返信部４６から伝送線Ｌｓに出力させる。これにより、制御親機１０１が返信信号Ｓ２に含まれるアドレスに対応するリレーを開閉制御することで、負荷への電源供給をオン・オフすることができる。
【００３０】
電源検出部４４は、電源部４３が出力する内部電源の電圧値を検知し、所定の電圧値よりも小さい値になると、制御部４１に検出信号Ｓ３を出力する。制御部４１は、この検出信号Ｓ３が入力されると、液晶表示部４８の例えば最上段の操作スイッチ２１に対応する位置に、電圧が低下した状態である旨を表示する（図１（ｂ）を参照）。例えば、液晶表示部４８には「Ｅ１」と表示し、説明書などによって、「Ｅ１」との表示は電圧が低下した状態であることを使用者に通知しておくことで、複雑な表示を行うことなく、電圧が低下したために動作しないことを示すことができる。
【００３１】
返信信号検出部４７は、プリント配線板２０に形成された回路内において何らかの障害が発生し、信号返信部４６からの返信信号Ｓ２が伝送線Ｌｓに正しく出力されなくなったことを検知すると、検出信号Ｓ４を制御部４１に出力する。制御部４１は、この検出信号Ｓ４が入力されると、液晶表示部４８の例えば最上段の操作スイッチ２１に対応する位置に例えば「Ｅ２」と表示し、伝送信号Ｓ２を正しく出力できない出力不良状態である旨を表示する（図１（ｃ）を参照）。これにより、使用者がこの表示を確認することで、動作しない原因が操作スイッチ配線器具１の故障によるものであることを認識することができる。
【００３２】
このように、操作スイッチ２１の扉部３１を押操作しても対応する負荷のオン・オフ制御は行われない場合には、扉部３１を回動させて扉部３１を外した状態で液晶パネル２３の表示内容を確認することで、操作スイッチ配線器具１の動作状態を確認することができ、動作しない原因を容易に認識することができる。また、各操作スイッチ２１のアドレスを設定する際に用いる液晶パネル２３を、動作異常を表示する表示部として兼用しているので、製造コストを低減することができる。
【００３３】
なお、本実施の形態では、表示部として７セグメントＬＣＤからなる液晶パネル２３を用いているが、これは表示部を液晶パネルに限定するものではなく、発光ダイオードを用いてもよい。
【符号の説明】
【００３４】
１          操作スイッチ配線器具
２１        個別スイッチ
４１        制御部
４２        操作入力部
４３        電源部
４４        電源検出部
４８        液晶表示部（表示部）
１０１      制御親機
１０２      制御子器
Ｌｓ        伝送線
Ｓ１        伝送信号
【図１】
2011010037.tif 000003
【図２】
2011010037.tif 000004
【図３】
2011010037.tif 000005
【図４】
2011010037.tif 000006